(57)【要約】【課題】取付作業も簡単でコストも安い屋上における支柱固定構造を提供することを課題としている。【解決手段】建物の屋上において支柱を立設し、固定する構造において、該支柱の脚部を置き基礎で固定すると共に、支柱の柱腹部を該屋上に設けられている手摺りに固定したことを特徴としている。【選択図】  図１
2004162391.tif 000002
【特許請求の範囲】
【請求項１】
建物の屋上において支柱を立設し、固定する構造において、該支柱の脚部を置き基礎で固定すると共に、支柱の柱腹部を該屋上に設けられている手摺りに固定したことを特徴とする屋上における支柱の固定構造。
【請求項２】
前記柱腹部の固定は、前記手摺りのコーナ上面に３角形状の板材を固定し、該３角形状板材に前記支柱の柱腹部を固定したことを特徴とする請求項１に記載の屋上における支柱の固定構造。
【請求項３】
前記３角形状板材に前記支柱の固定は、該３角形状板材の１辺に前記柱腹部が緩挿可能な切り欠き部を設け、該切り欠き部の前後方向に該支柱を挟む位置に棒材を固定したことを特徴とする請求項２に記載の屋上における支柱の固定構造。
【請求項４】
前記３角形状板材の前記手摺りへの固定は、両端にネジを設けたＵ字状ボルトを手摺りの下側から該３角形状板材に設けられたボルト穴を貫通させ、該３角形状板材の上面でナットを螺合させて固定したことを特徴とする請求項１〜請求項３の何れか１に記載の屋上における支柱の固定構造。
【請求項５】
前記柱腹部の固定は、前記手摺りの央部に矩形状の板材を固定し、該矩形状板材に前記支柱の柱腹部が緩挿可能な切り欠き部を設け、該切り欠き部の前後方向に該支柱を挟む位置に部材を固定したことを特徴とする請求項１に記載の屋上における支柱の固定構造。
【請求項６】
前記矩形状板材の前記手摺りの央部への固定は、前記矩形状板材が前記手摺りの廻りに回転するのを防止するために、更に回転防止手段を前記手摺り又は前記矩形状板材と前記支柱との間に設けたことを特徴とする請求項５に記載の屋上における支柱の固定構造。
【発明の詳細な説明】
【０００１】
【発明の属する技術分野】
この発明は、建物の屋上に支柱を立設固定する固定構造の技術分野に属する。
【０００２】
【従来の技術】
従来から建物屋上に外灯やカメラを取付けたり或いはアンテナを取付けるために支柱を垂直に立てる設置工事が行われている。このような工事を行う場合、雨漏り等を防止しなければならないことから、建物屋上の床面に直接アンカーボルトを打ち込むことができない。このため、従来から種種の工夫がなされている。例えば、屋上の防水層を切って、そこにコンクリートを増し打ちして基礎を作り、更に、増し打ちしたコンクリート上側面に既設防水層とラップさせて新たに防水層を設けて防水を保つ。その基礎にアンカーボルトを埋設し、支柱の脚部を固定する方法が採用されていた。この方法は、防水層を切断する作業やコンクリートを増し打ちする作業等の余分な作業が必要となる。従って、作業が煩雑になり、またコスト高にもなるという問題があった。
【０００３】
また、屋上の床面に固定用の基礎を載置する方法も行われていた。例えば、登録実用新案公報第３０６３３６号（実願平１１−２７６３）に開示されているように、ゴム板等の緩衝材を屋上の床面に敷いて、その上に支柱固定用の基台を載置するだけであり、取付作業は非常に簡単である。しかし、図６に示すように、この支柱固定用の基台が大きくなり、また以下のような欠点もあった。図６において、基台４９の枠体５０はＨ型鋼の縦枠材５１と横枠材５３とにより四方枠組みされ、更に、Ｈ型鋼からなる中補強部材５５により補強されている。枠体５０に支柱（アンテナポール）６０を支持するコ字状チャネルによる横架材５８が横枠材５３、５３間に横架されている。横架材５８に支柱固定部材５９を介して支柱６０の下端部が固定される。また、取付金具６２と棒材６１によって支柱６０の柱腹部が固定されている。以上の構成から理解できるように、この従来装置では基台の転倒を防止するために、基台の面積が広くなり、かつ相当の重量を必要とするなど材料費と製作コストが高くなり、大きな課題であった。また、場合によっては相当のスペースを必要とし、屋上に取付が困難な場合も生じるという不都合があった。
【０００４】
【発明が解決しようとする課題】
以上に説明したように、従来の支柱固定構造は製作作業又は取付作業が複雑になり、コスト高になるという欠点があり、また取付のスペースも広くなるという欠点もあった。本発明はこのような欠点を解消し、取付作業も簡単でコストも安い屋上における支柱固定構造を提供することを課題としている。
【０００５】
【課題を解決するための手段】
上記課題を解決するために本発明は以下の手段を採用している。即ち、
請求項１記載の発明は、建物の屋上において支柱を立設し、固定する構造において、該支柱の脚部を置き基礎で固定すると共に、支柱の柱腹部を該屋上に設けられている手摺りに固定したことを特徴としている。
請求項１記載の発明は、手摺りを利用して支柱の柱腹部を固定したことを主な特徴としている。
【０００６】
請求項２に記載の発明は、請求項１の発明において、前記柱腹部の固定は、前記手摺りのコーナ上面に３角形状の板材を固定し、該３角形状板材に前記支柱の柱腹部を固定したことを特徴としている。
請求項２に記載の発明は、手摺りのコーナを利用したことを主な特徴としている。
【０００７】
請求項３記載の発明は、請求項２に記載の発明において、前記３角形状板材に前記支柱の固定は、該３角形状板材の１辺に前記柱腹部が緩挿可能な切り欠き部を設け、該切り欠き部の前後方向に該支柱を挟む位置に棒材を固定したことを特徴としている。
【０００８】
請求項４記載の発明は、請求項１〜請求項３に記載の発明において、前記３角形状板材の前記手摺りへの固定は、両端にネジを設けたＵ字状ボルトを手摺りの下側から該３角形状板材に設けられたボルト穴を貫通させ、該３角形状板材の上面でナットを螺合して固定したことを特徴としている。
【０００９】
請求項５記載の発明は、請求項１に記載の発明において、前記柱腹部の固定は、前記手摺りの央部に矩形状の板材を固定し、該矩形状板材に前記支柱の柱腹部が緩挿可能な切り欠き部を設け、該切り欠き部の前後方向に該支柱を挟む位置に部材を固定したことを特徴としている。
請求項５記載の発明は、手摺りの央部を利用したことを主な特徴としている。
【００１０】
請求項６記載の発明は、請求項５に記載の発明において、前記矩形状板材の前記手摺りの央部への固定は、前記矩形状板材が前記手摺りの廻りに回転するのを防止するために、更に回転防止手段を前記手摺り又は前記矩形状板材と前記支柱との間に設けたことを特徴としている。
【００１１】
【発明の実施形態】
＜実施形態１＞
図１は本発明を実施した実施形態１の全体構成の斜視図を示し、図２は上から見た平面図で、基台部分の描写を省略した図である。以下に、支柱の置き基礎について説明する。図１及び図２において、支柱１０の下端部は鋼製の基盤１２に溶接等により固定されている。更に、支柱１０の下端部には４本のリブが溶接され、補強されている。また、基盤１２の各隅の下側にはコンクリートブロック１４がアンカーボルトにより固定されている。なお、コンクリートブロック１４は以下のように屋上の床上に固定又は設置される。例えば、建物屋上にアスファルト防水がされている場合はゴムマット１５を敷いてその上にコンクリートブロック１４が置かれる。また、建物屋上に保護モルタルが施されている場合は接着剤１６でコンクリートブロック１４が固定される。
【００１２】
次に、支柱１０の柱腹部１０ａの固定方法について説明する。支柱１０は手摺り２０、２０のコーナ近くに立てられ、支柱１０の腹部１０ａが３角形状の板材２２に固定される。３角形状の板材２２は手摺りのコーナの上側に載置され、両端にネジを切ったＵ字状ボルト２４の先端を手摺り２０の下側からボルト穴２５を貫通させて突設させ、ナット２６を螺合して固定する。また、３角形状の板材２２の斜辺略中央にＵ字形状の切り欠き部２８を設け、柱腹部１０ａが切り欠き部２８の中央に来るように支柱１０を設置する。次にＬ字状棒材２９を背中合わせにして柱腹部１０ａを両方から挟むようにして、ボルト及びナット等を利用して３角形状板材２２に固定する。これによって、支柱１０は置き基礎によって下端部（脚部）が固定され、同時に柱腹部が３角形状板材２２によって手摺り２０に堅固に固定される。
【００１３】
以上に説明したように、実施形態１によれば、設置現場において溶接等の複雑な作業もすることなく、簡単な作業のみで、しかも十分に安定し、堅固な状態で支柱を固定することができる。また、構造が簡単であり、コストも安くなるという効果もある。
【００１４】
＜実施形態２＞
図３は本発明を実施した実施形態２の全体構成の斜視図を示す。実施形態２では、３角形状板材２２を手摺り２０のコーナに固定できない場合である。この場合は、矩形状板材３１を手摺り２０の央部（又は直線部）に固定する場合である。置き基礎による脚部の固定は実施形態１の場合と同様である。矩形状板材３１の固定は実施形態１の場合と同様Ｕ字状ボルトを利用して手摺り２０に固定する。また、柱腹部１０ａを矩形状板材３１に固定する方法、手段も実施形態１と同様に可能である。ここでは、同じ参照番号を付して詳細な説明を省略する。しかし実施形態２では、手摺り２０の１辺にしか固定できないので、矩形状板材３１が回転して傾く可能性があり、実施形態１に比べて不安定性を免れない。
【００１５】
そこで、実施形態２では以下のように回転防止手段３５を設けて安定性を向上させている。図４（Ａ）は回転防止手段３５の斜視図を示し、図４（Ｂ）上から見た平面図を示す。図４において、中央部に半円状の凹み部を持つ２片の部材からなる固定バンド３２で支柱１０の柱腹部１０ａを固定すると共に、固定バンド３２の両端部を帯部材３４の一端と共にボルト３７及びナット３６で固定し、帯部材３４の他端を矩形状板材３１に固定する。これによって矩形状板材３１が手摺り２０の回りに回転を防止することができる。
【００１６】
図５は別の回転防止手段３８の実施例である。回転防止手段３８は前記したＬ字状棒材２９と固定バンド３２との両方の機能を兼用したものである。即ち、回転防止手段３８は２片の板部材３９、３９からなり、各板部材３９は中央に円弧状の凹み部４０を有し、両端の平板部にボルトで固定可能なボルト穴４１を有し、更に下端の脚片４１は矩形状板材３１に固定可能なボルト穴４２を設けてある。従って、回転防止手段３８は円柱１０をボルト等により堅固に把持すると共に矩形状板材３１に固定されるために、矩形状板材３１が手摺り２０の回りに回転するのを防止することができる。
【００１７】
以上に説明したように、実施形態２は実施形態１に比べて少し複雑になっているけれども、従来装置に比べてより簡単な構成であり、固定も堅固で、かつコストも安くすることができ、実施形態１の場合とほぼ同様な効果が得られる。
【００１８】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、回転防止手段は上記した実施例に限られず、種種の構成を採用することができる。
【００１９】
【発明の効果】
以上説明したように、この発明の構成によれば、簡単な作業のみで、しかも十分に安定し、堅固な状態で支柱を固定することができる。また、構造が簡単であり、コストも安くなるという効果もある。
【図面の簡単な説明】
【図１】本発明を実施した実施形態１の組立分解図を示す。
【図２】実施形態１の上面図を示す。
【図３】本発明を実施した別の実施形態２の組立分解図を示す。
【図４】実施形態２の回転防止手段を示す。
【図５】別の回転防止手段の実施例を示す。
【図６】従来の固定構造の例を示す。
【符号の説明】
１０          支柱
１０ａ      支柱の柱腹部
１２        基盤
１４        コンクリートブロック
２０        手摺り
２２        ３角形状板材
２４        Ｕ字状ボルト
２５        ボルト穴
２８        Ｕ字形状切り欠き
２９        （柱腹部固定用）棒材
３５        回転防止手段
３８        回転防止手段
【図１】
2004162391.tif 000003
【図２】
2004162391.tif 000004
【図３】
2004162391.tif 000005
【図４】
2004162391.tif 000006
【図５】
2004162391.tif 000007
【図６】
2004162391.tif 000008